(57)【特許請求の範囲】
【請求項１】
光源として、発光波長が４５０ｎｍ以上４９０ｎｍ以下の波長にピークを有する青色光線放射ＬＥＤ(５)と、発光波長が３７０ｎｍ以上４１０ｎｍ未満の波長にピークを有する近紫外線及び／又は紫色光線放射ＬＥＤ(６)との２種類のＬＥＤ(５，６)とが配備されており、少なくともこれら２種類のＬＥＤ(５，６)を同時に点灯させるためと近紫外線及び／又は紫色光線放射ＬＥＤ(６)のみを点灯させるためとの切換えスイッチ(７)が設けられていることを特徴とする歯科用光重合型コンポジットレジン用光照射装置。
【請求項２】
光線放射ＬＥＤ(５，６)の点灯時間を複数の予め設定された時間から選択するスイッチ及び／又は任意の時間に設定可能な時間設定スイッチ(８)が設けられている請求項１に記載の歯科用光重合型コンポジットレジン用光照射装置。
【請求項３】
特定波長以下の紫外線を遮断するためのフィルター(１０)が光線放射ＬＥＤ(５，６)と光照射口との間に配備されている請求項１又は２に記載の歯科用光重合型コンポジットレジン用光照射装置。
【請求項４】
青色光線放射ＬＥＤ(５)と近紫外線及び／又は紫色光線放射ＬＥＤ(６)との出力の比が９対１〜５対５である請求項１から３までのいずれか１項に記載の歯科用光重合型コンポジットレジン用光照射装置。
【発明の詳細な説明】
【０００１】
【発明の属する技術分野】
本発明は、歯科治療に用いられる歯科用光重合型コンポジットレジンの光重合触媒の特性に合わせて選択された特定の波長の照射光を照射することにより照射対象である歯科用光重合型コンポジットレジンを良好に重合硬化させることができる歯科用光重合型コンポジットレジン用光照射装置に関するものである。
【０００２】
【従来の技術】
歯科用光重合型コンポジットレジンは、近年における性能の向上などと相俟って、天然歯との違和感のない形態の付与の容易さ（操作性）や天然歯に近い色調が得られること（審美性）に優れるなどの点から、臨床家の間で大きな需要を獲得してきている。このような需要の高まりは、歯科用光重合型コンポジットレジンそのものの高性能化をもたらすばかりでなく、この材料を用いるための周辺機器の発達をも促してきている。
【０００３】
これまでは、患者の口腔内の歯牙に充填された歯科用光重合型コンポジットレジンを重合硬化させるための光照射装置として、外形が恰もヘアドライヤーのような形状をしておりその内部に光源であるハロゲンランプ又はキセノンランプが収納され、対象となる歯牙に充填されている歯科用光重合型コンポジットレジンに照射する光を導くために透明な素材で形成されている円柱状のライトガイド（一般的にはグラスファイバーを束ねたものが用いられている）がその先端に装着できるようにしたものが用いられてきている。
【０００４】
従来の光照射装置が、このような構成とならざるを得なかったのは次のような理由による。
先ず、歯科用光重合型コンポジットレジンを重合硬化させるための必要十分な光を得られる光源としては、ハロゲンランプやキセノンランプが最も適当であったことである。しかし、これらの光源はその点灯時に大量の熱も合わせて発生させてしまうので、冷却させなければランプ自身の寿命ばかりでなく装置自体も損傷させてしまうことになる。
【０００５】
従って、冷却用ファンを用いた送風による光源の冷却機構が必須であるから光照射装置は或る大きさ以下にはなり得ないし、当然のことながら消費電力が大きいから電線を用いての電気の供給を受けざるを得ないという制約条件があり、加えてこの光源の大きな消費電力を賄うために大きなトランスが必要となるなど、目的とする機能を備えさせるためには周辺機能パーツの収納や配置をも考慮しなければならなかったのである。
【０００６】
これ故に、ハロゲンランプやキセノンランプを光源として用いた光照射装置では、その使い勝手を向上させるために装置を小型化することや、騒音を発する冷却用ファンを不要にすることでこの騒音による苦痛を患者に与えることを無くすことや、更にコードレス化して光源に電気を供給する電線による治療作業への弊害を無くすことや、ライトガイドの長さを自由に選択することを可能とすること（ライトガイドの長さが短いと熱風となった冷却用の風が患者の顔面に直接吹きつけられてしまう虞があるため、或る一定の長さ（距離）が確保されていなければならない）ができないため、軽量で操作性に優れた光照射装置となすことが機構的にも不可能な状況になっていたのである。
【０００７】
ところで、現在多用されている歯科用光重合型コンポジットレジンを光重合させるためには、光重合触媒としてカンファーキノンと３級アミンとの組合わせが最も多く用いられている。そして、このカンファーキノンの特性が多くの研究者の研究努力の成果として明らかになった。即ち、カンファーキノンが感応する光波長域が４７０ｎｍをピークとしてその前後２０〜３０ｎｍの範囲の光を最も効率良く吸収することが判ったのである。そしてこの波長域は可視光であり、しかも青色の領域の光である。
【０００８】
一方、光源として用いられている例えばハロゲンランプは３５０〜８００ｎｍの広範囲な光波長域の光を発光しているので、この光の中から歯科用光重合型コンポジットレジンの光重合に必要な波長の光を波長選択フィルターを介在させることで取り出し利用していたのである。この時、この波長選択フィルターの使用によりその光の強度（明るさ）は約１／１０程度に減衰してしまうとも言われている。そして、このハロゲンランプは通常の使用でも光量の低下が著しい（約２５時間で６０〜７０％となってしまう）ばかりでなく、寿命がそれほど長い（約５０時間とされている）とは言えない。更に、その点灯時には大きな負荷となる過渡電流が流れるために点滅に弱い、即ち、ランプが点滅する都度、自らの寿命を縮めてしまうという欠点もある。これ故に、歯科用光重合型コンポジットレジンに完全な光重合を行わせるためにはランプ寿命や使用状態に常に留意していなければならなかったのである。
【０００９】
ところが、平成６，７年ころから青色の光を発するＬＥＤが開発されたことを受けて、このＬＥＤを光照射装置に組み込んで使用するための様々な工夫や提案がなされてきている。その代表的な例としてピーク発光波長が４３０〜４８０ｎｍの範囲にある複数の発光ダイオードと、これら発光ダイオードの光を集光する光学系手段と、この光学系手段で集光された光を出力する光照射手段とによって構成した「光重合型レジン硬化用光源装置」（例えば、特許文献１参照。）があり、学会における研究文献（例えば、非特許文献１参照。）としても発表されている。
【００１０】
これらの研究文献等を受け、更にＬＥＤの性能の高まりにより、実際に高輝度青色ＬＥＤを用いた光照射装置が製品として国内外の各社から販売され、実際の臨床の場でも使用されるようになってきている。これらの製品のカタログには、前述したような光源がランプであるが故に解決できなかった技術的課題を一掃したことが謳われている。つまり、小型軽量であり、コードレスであり、消費電力が少なく、静音であり、そして光源の寿命が半永久的であるなどの利点である。このように歯科用光重合型コンポジットレジンを光重合させるための光照射装置は急速な進歩発展を遂げてきている。
【００１１】
【特許文献１】
特許第２９７９５２２号公報
【非特許文献１】
日本歯科保存学会雑誌第３９巻第１号，藤林ら，「青色発光ダイオードを応用した照射器に関する研究」
【００１２】
その一方で、光重合される歯科用光重合型コンポジットレジンは、全く変わっていないのである。つまり、光重合用の触媒としてはカンファーキノンと３級アミンとの組合わせがそのまま採用され続けているのである。ところがこのカンファーキノンには、その特有の性質として、その色調が黄色である（健全な天然歯は黄色みがかっているから好ましい）ものの、光照射により重合硬化後はその黄色みが薄まってしまい、加えて経時的な変化として更に残った黄色みも薄まってゆくことが挙げられる。従って、審美歯科の観点から苦労して色合わせを行っても、重合硬化した段階で既に色が違ってしまうという欠点がある。
【００１３】
また、３級アミンとの組合わせで用いられているため、材料の保存性があまり良くない（未使用の歯科用光重合型コンポジットレジンが経時変化により変質してしまう虞がある）というような欠点もある。このような欠点に対応するために、新たな光重合開始助剤による歯科用光重合型コンポジットレジンの開発・研究が待たれていた。
【００１４】
ところで、前述した光源として高輝度青色ＬＥＤを搭載した光照射装置を使用している臨床家からは、別な不満の声が上がっている。それは、以前のハロゲンランプによる光重合に比べ、高輝度青色ＬＥＤによる光重合は歯科用光重合型コンポジットレジンの硬化深度（重合硬化が十分に行われた表面からの深さ）が浅く未重合部分が多くて、維持という観点から歯牙に対する補綴物としての信頼性に欠けるということである。つまり、治療後短期間で歯牙から脱落してしまう現象が多発しているのである。
【００１５】
また、前述したカンファーキノンの褪色（本来持つ黄色が褪せてしまう）に対応するため、近年光重合開始剤として光重合開始助剤を必要としないアシルフォスフィンオキサイド［商品名：ルシリンＴＰＯ（ＢＡＳＦ社製）等がある］を用いた歯科用光重合型コンポジットレジンが開発され、この光重合開始剤は無色透明であるため審美的な色合わせが容易（レジンの本来の色のみでの測色が可能であり、褪色がない）になるから、イメージ通りの色に仕上がることになる。そして、この光重合開始剤は、感応する光波長域が４７０ｎｍをピークとしたカンファーキノンとは異なり、感応する光波長域が３８０ｎｍをピークとしている材料である。
【００１６】
しかしながら、現在市販されているＬＥＤを光源として使用している歯科用光重合型コンポジットレジン用光照射装置は全て、カンファーキノンにのみに対応する目的で設計されているので、発光波長として４５０〜４９０ｎｍにピークのある青色光線放射ＬＥＤのみを使用しているため、前述したような歯科用光重合型コンポジットレジンの硬化深度が浅く未重合部分が多いという欠点や、近年新たに開発された光重合開始剤としてアシルフォスフィンオキサイドを用いた歯科用光重合型コンポジットレジンには使用できないという欠点を解消できないのである。
【００１７】
【発明が解決しようとする課題】
本発明は、前記従来の歯科用光重合型コンポジットレジン用光照射装置が有する欠点を解消し、光重合触媒としてカンファーキノンと３級アミンとの組合わせを用いた歯科用光重合型コンポジットレジンを光照射により効率良く完全に重合硬化させることができるばかりでなく、新たに開発された光重合開始剤としてアシルフォスフィンオキサイドを用いた歯科用光重合型コンポジットレジンも光照射により重合硬化させることができる多用途型の歯科用光重合型コンポジットレジン用光照射装置を提供することを課題とする。
【００１８】
【課題を解決するための手段】
本発明者らは前記課題を解決すべく鋭意研究の結果、光重合触媒としてカンファーキノンと３級アミンとの組合わせを用いた歯科用光重合型コンポジットレジンに未重合部分が残ってしまう現象が発生するのは、カンファーキノンの感応する光波長域が４７０ｎｍをピークとしてその前後２０〜３０ｎｍのみに対応した高輝度青色ＬＥＤのみを用いていることに由来しているのではないかと推測し、他の波長域の光を発する様々なＬＥＤを組み合わせて硬化深度がどのようになるかの確認実験を行った処、発光波長として３７０ｎｍ以上４１０ｎｍ未満の波長にピークを有する近紫外線及び／又は紫色光線放射ＬＥＤと組み合わせると非常に好ましい結果を得ることができ、且つこの近紫外線及び／又は紫色光線放射ＬＥＤから発光される光は新たに開発された光重合開始剤としてアシルフォスフィンオキサイドを用いた歯科用光重合型コンポジットレジンを光照射により重合硬化させるのにも応用できることを究明して本発明を完成したのである。
【００１９】
即ち本発明は、光源として、発光波長が４５０ｎｍ以上４９０ｎｍ以下の波長にピークを有する青色光線放射ＬＥＤと、発光波長が３７０ｎｍ以上４１０ｎｍ未満の波長にピークを有する近紫外線及び／又は紫色光線放射ＬＥＤとの２種類のＬＥＤとが配備されており、少なくともこれら２種類のＬＥＤを同時に点灯させるためと近紫外線及び／又は紫色光線放射ＬＥＤのみを点灯させるためとの切換えスイッチが設けられていることを特徴とする歯科用光重合型コンポジットレジン用光照射装置である。
【００２０】
また、このような歯科用光重合型レジン用光照射装置において、光線放射ＬＥＤの点灯時間を複数の予め設定された時間から選択するスイッチ及び／又は任意の時間に設定可能な時間設定スイッチが設けられていれば、複数のメーカーが各々販売する歯科用光重合型コンポジットレジンの光照射の指定時間に予め合わせて光を照射することが可能になるから手間を軽減できたり歯科用光重合型コンポジットレジンの使用量に合わせて照射時間を設定できて好ましいことも究明したのである。
【００２１】
また、このような歯科用光重合型レジン用光照射装置において、特定波長以下の紫外線を遮断するためのフィルターが光線放射ＬＥＤと光照射口との間に配備されていれば、発ガン作用があるから人体に有害とされている不都合な短波長の紫外線を効果的且つ確実に除去できて好ましいことも究明したのである。
【００２２】
更に、このような歯科用光重合型レジン用光照射装置において、青色光線放射ＬＥＤと近紫外線及び／又は紫色光線放射ＬＥＤとの出力の比が９対１〜５対５であることが、光重合開始剤としてアシルフォスフィンオキサイドを用いた歯科用光重合型コンポジットレジンのみならず、カンファーキノンと３級アミンの組合わせを用いた歯科用光重合型コンポジットレジンを光照射により重合硬化させる際に未重合部分が残ってしまうという不都合を解消して完全な重合硬化物を得ると共に光の照射時間も短くて済むようになるので好ましい。
【００２３】
【発明の実施の形態】
以下、図面により本発明に係る歯科用光重合型コンポジットレジン用光照射装置の実施例について詳細に説明するが、本発明は以下の実施の形態によって限定されるものではない。
【００２４】
図１は本発明に係る歯科用光重合型コンポジットレジン用光照射装置の１実施例の構成を説明する断面説明図、図２は図１に示した本発明に係る歯科用光重合型コンポジットレジン用光照射装置を充電用スタンドに載置した状態を示す斜視説明図、図３は本発明に係る歯科用光重合型コンポジットレジン用光照射装置の電気回路の概略構成を説明するブロック回路図、図４は本発明に係る歯科用光重合型コンポジットレジン用光照射装置に用いられるＬＥＤの発光スペクトル特性を説明するスペクトル特性説明図である。
【００２５】
図面中、１は、人が手で把持し易いように先端部１ａが先細りのテーパ状でその最大径が約３５〜４５ｍｍ程度の略円柱状の光照射器本体である。この光照射器本体１は、使用者に重さによる負担を強いることがないように軽量化するため、全体が樹脂で成形されていても、重心位置によるバランスやデザインの都合から軽量合金で形成されていてもよい。
【００２６】
２は、その後端部が光照射器本体１の先端部１ａのほぼ中央に穿設されている光照射口である挿入孔に挿入される、光伝送損失のほとんどないグラス製光ファイバー又はプラスチック製光ファイバーなどの光透過製ファイバーを束ねて一体となしたライトガイドである。そしてこのライトガイド２の先端側は口腔内の歯牙３に補綴物として充填されている歯科用光重合型コンポジットレジン３ａに光を照射し易くするため、図示してあるように若干湾曲されていることが好ましい。また、口腔内の照射対象となる歯牙３の部位に合わせて長さの違うライトガイド２が複数本用意されていると、使用者にとって使い勝手が向上するので好ましい。
【００２７】
４は、光照射器本体１内に収納されている制御回路である。この制御回路４は、図１に示すように基本的には光照射器本体１の後端に配備されているメインスイッチ４ａによりＯＮ／ＯＦＦ制御が行われる。また、後述する各スイッチの操作・設定を受けてこの制御回路４が、後述する光線放射ＬＥＤ５，６の点灯時間を制御したりその設定された点灯時間を表示したりすることを行うようにされており、この他、制御回路４内に予め光照射器本体１内に内蔵されている後述するバッテリー９の電力の残量を示すような回路を組み込んでおいてもよいことは言うまでもない。
【００２８】
５は、光照射器本体１内に収納されていてその軸心近傍にまとめて５〜９個程度配備されている発光波長が４５０ｎｍ以上４９０ｎｍ以下の波長にピークを有する青色光線放射ＬＥＤであり、現在の市場において広く使用されている高輝度光線放射ＬＥＤの使用が好ましい。
【００２９】
６は、上記青色光線放射ＬＥＤ５の周囲に位置して４〜１０個程度配備されている発光波長が３７０ｎｍ以上４１０ｎｍ未満の波長にピークを有する近紫外線及び／又は紫色光線放射ＬＥＤであり、冷蔵庫やエアコンなどに配備された光触媒を担持した抗菌・脱臭用部材への照射用として広く使用されている近紫外線及び／又は紫色光線放射型ＬＥＤの使用が好ましい。
【００３０】
歯科治療における通常の術式では、照射対象となっている歯牙３の表面（充填された歯科用光重合型コンポジットレジン３ａ）から１ｍｍ〜２ｍｍ離して用いられている。また、本発明に係る光照射装置の利用対象である光重合開始剤としてアシルフォスフィンオキサイドを用いた歯科用光重合型コンポジットレジン及びカンファーキノンと３級アミンとの組合わせを用いた歯科用光重合型コンポジットレジンに光照射させた場合には、従来の光重合触媒としてカンファーキノンと３級アミンとの組合わせのみを用いた歯科用光重合型コンポジットレジンに光照射させた場合に比べて重合硬化反応が急激に起きるから、近紫外線及び／又は紫色光線放射の出力は小さくても目的を達することができる。従って、総量として青色光線放射ＬＥＤ５から放射される光の出力と近紫外線及び／又は紫色光線放射ＬＥＤ６から放射される光の出力との比は、９対１から５対５程度あれば十分である。
【００３１】
即ち、本発明に係る光照射装置を用いて前述したような２種類の光重合触媒を用いた歯科用光重合型コンポジットレジンを重合硬化させる場合には、青色光線放射ＬＥＤ５と近紫外線及び／又は紫色光線放射ＬＥＤ６との光の出力は、その総量の比として９対１〜５対５程度にされていると、従来のＬＥＤ光照射装置を用いた場合に生じる歯科用光重合型コンポジットレジンに未重合部分が残ってしまうという不都合を解消して完全な重合硬化物が得られるばかりでなく、光の照射時間も短くて済むようになるので好ましい。
【００３２】
また、図示はしていないが、本発明に係る光照射装置の被照射対象である歯科用光重合型コンポジットレジン３ａの種類によっては、長波長（緑色ないしは赤色）側の光線を受けて暖められた状態（長波長側の光には照射を受けた物体を暖める効果があることが知られている）で重合硬化がより進む製品もあるので、青色光線放射ＬＥＤ５の配置領域に数個の緑色及び／又は赤色の光線を発するＬＥＤを配備していてもよい。この場合には、緑色及び／又は赤色の光線を発するＬＥＤを光の出力総量の約１０％を占める程度に用いることで所期の目的を達成することができる。光照射器本体１内に配備されているＬＥＤの構成を、以上において述べたようになすことにより、歯科用光重合型コンポジットレジン３ａの重合・硬化用として信頼性の高かったハロゲンランプの発光波長特性の良いところ取りをすることも可能である。
【００３３】
７は、光照射器本体１の全長の半分よりやや前寄りに位置する外周側面に配備されており、少なくとも青色光線放射ＬＥＤ５と近紫外線及び／又は紫色光線放射ＬＥＤ６とを同時に点灯させるためと近紫外線及び／又は紫色光線放射ＬＥＤ６のみを点灯させるためとの切換えスイッチである。この切換えスイッチ７を操作することにより、歯牙３への充填などの補綴物として使用されている歯科用光重合型コンポジットレジン３ａの特性に合わせた光の照射を行うことができるようになる。また、この切換えスイッチ７の操作でどのような波長の光が照射されるようになっているのが判別できるような表示部を光照射器本体１の所定の位置に設けておくことが好ましい。
【００３４】
８は、切換えスイッチ７に隣り合うようにして光照射器本体１に配備されており、前記光線放射ＬＥＤ５，６の点灯時間を制御するために予め設定されている時間（例えば、５秒，１０秒，２０秒及び４０秒の４種）から任意に選択するための時間設定スイッチである。この例の場合、時間設定スイッチ８を押圧する回数に応じて、前述した４種の時間を適宜組み合わせることで標準外の新たな時間を設定すること（例えば、５秒と１０秒とを組み合わせて１５秒の点灯時間を設定する）が可能にされていてもよく、選択された時間又は設定された時間が光照射器本体１の後端の外周に配備されている４個の時間表示用ＬＥＤ８ａの点灯や点滅により表示されるようになっている。
【００３５】
９は、光照射器本体１内の後側に収納されているバッテリーであり、このバッテリー９内に蓄えられた電力により制御回路４が動作すると共に光線放射ＬＥＤ５，６の点灯用の電力が供給される。このバッテリー９への電力供給は、図示した実施例では光照射器本体１の後端の前記時間表示用ＬＥＤ８ａとは反対側に位置するようにして配備されている接続用電極９ａ，９ａが、後述する充電用スタンド１１の電極に各々接続することでなされる。このバッテリー９への電力供給は前述したメインスイッチ４ａとは関連がないようにされていてもよい。また、外部に剥き出しとなっている接続用電極９ａ，９ａを用いないで、誘導起電力を利用するようにして電力を蓄えるようにされていてもよいことは言うまでもない。
【００３６】
１０は、光照射器本体１内で光照射口となるライトガイド２の装着部と光線放射ＬＥＤ５，６との間に位置して配備されている特定波長以下、特には発ガン作用があるから人体に有害とされている不都合な短波長の例えば３７０ｎｍ未満の紫外線を遮断するための円盤状をしているフィルターである。このフィルター１０の形状としては図１に示してあるように、青色光線放射ＬＥＤ５と対峙する中央部が同じ厚みにされていて近紫外線及び／又は紫色光線放射ＬＥＤ６と対峙する部分が先端に行くに従い先細りとなるプリズム状にされていると光の性質を上手く利用できるので好ましい。
【００３７】
光照射器本体１を使用していない時及び充電時には、図２において示すように充電用スタンド１１の挿入溝１１ａ内に挿入しておいて保管しておく。この時、プラグ１１ｂを交流電源の差し込みプラグ（図示無し）に差し込んでおいて、充電スタンドメインスイッチ１１ｃをＯＮにしておけば、自動的にバッテリー９への充電がなされることになる。また、充電状態が一目で判るように充電用スタンド１１の目に付き易い位置に充電状態表示ＬＥＤ１１ｄを配備しておいて、充電が満充電状態に比して何％までに至っているのかが判るようにされていると好ましい。
以上において説明した各要素の関係は、図３の電気回路の概略構成を説明するブロック回路図において概略が記載してある。
【００３８】
【発明の効果】
以上に詳細に説明したように、本発明に係る歯科用光重合型コンポジットレジン用光照射装置は、既存のＬＥＤ光照射装置の有する特長である光源としてハロゲンランプやキセノンランプを使用しないことによって発熱に対する冷却用ファンが無いことによる静粛性やコードレスによる取り扱いの便利さや光源の寿命の低下に対する配慮不要という全ての効果を備えているばかりでなく、従来の光重合触媒としてカンファーキノンと３級アミンとの組合わせを用いている歯科用光重合型コンポジットレジンも確実に重合・硬化できる性能を有しており、しかも近年新たに開発された光重合開始剤としてアシルフォスフィンオキサイドを用いた歯科用光重合型コンポジットレジンの重合・硬化にも対応することができる画期的な歯科用光重合型コンポジットレジン用光照射装置であり、その歯科医療の技術向上に寄与するところが大なものである。
【図面の簡単な説明】
【図１】本発明に係る歯科用光重合型コンポジットレジン用光照射装置の１実施例の構成を説明する断面説明図である。
【図２】図１に示した本発明に係る歯科用光重合型コンポジットレジン用光照射装置を充電用スタンドに載置した状態を示す斜視説明図である。
【図３】本発明に係る歯科用光重合型コンポジットレジン用光照射装置の電気回路の概略構成を説明するブロック回路図である。
【図４】本発明に係る歯科用光重合型コンポジットレジン用光照射装置に用いられる光線放射ＬＥＤの発光スペクトル特性を説明するスペクトル特性説明図である。
【符号の説明】
１      光照射器本体
１ａ  先端部
２      ライトガイド
３      歯牙
３ａ  歯科用光重合型コンポジットレジン
４      制御回路
４ａ  メインスイッチ
５      青色光線放射ＬＥＤ
６      近紫外線及び／又は紫色光線放射ＬＥＤ
７      切替えスイッチ
８      時間設定スイッチ
８ａ  時間表示用ＬＥＤ
９      バッテリー
９ａ  接続用電極
１０    フィルター
１１    充電用スタンド
１１ａ  挿入溝
１１ｂ  プラグ
１１ｃ  充電用スタンドメインスイッチ
１１ｄ  充電状態表示ＬＥＤ
【図１】
0004141855.tif 000002
【図２】
0004141855.tif 000003
【図３】
0004141855.tif 000004
【図４】
0004141855.tif 000005